(57)【要約】      （修正有）【課題】精度の高さを実現し、且つ計測手順の迅速化、及び計測装置の簡便化を実現したマーカーコイルを提供する。【解決手段】マーカーコイル４０は、複数の磁気センサ３２０iにより、複数の磁気センサの各々との間の相対的な位置関係を特定するために用いられ、少なくとも３つの線分を備えた多角形状を呈する導線で構成され、多角形状は、点対称性、線対称性及び回転対称性のいずれも有しない非対称形状である。【選択図】図２
2020198925.tif 000002
【特許請求の範囲】
【請求項１】
複数の磁気センサにより、前記複数の磁気センサの各々との間の相対的な位置関係を特定するために用いられるマーカーコイルであって、
少なくとも３つの線分を備えた多角形状を呈する導線で構成され、前記多角形状は、点対称性、線対称性及び回転対称性のいずれも有しない非対称形状であることを特徴とするマーカーコイル。
【請求項２】
前記多角形状は、三角形状であることを特徴とする請求項１に記載のマーカーコイル。
【請求項３】
前記多角形状は、少なくとも４つの線分を備え、立体構造をとることを特徴とする請求項１に記載のマーカーコイル。
【請求項４】
前記マーカーコイルに接続する導線から意図しない漏れ磁場の発生を抑制するために、前記導線を撚り対線としたことを特徴とする請求項１乃至３のいずれかに記載のマーカーコイル。
【請求項５】
前記複数の磁気センサは生体から発生する磁気を検出し、前記導線に流れる電流の周波数は、前記生体の内部に流れる電流の周波数の帯域に含まれないことを特徴とする請求項１乃至４のいずれかに記載のマーカーコイル。
【請求項６】
磁場を検出可能な複数の磁気センサと、
少なくとも３つの線分を備えた多角形状を呈する導線で構成され、前記多角形状は、点対称性、線対称性及び回転対称のいずれも有しない非対称形状である、マーカーコイルと、
前記マーカーコイルに接続され、前記マーカーコイルに電流を流す発信機と、
前記複数の磁気センサの各々によって、前記マーカーコイルに流した電流によって発生した磁場を検出することによって、前記マーカーコイルと前記複数の磁気センサの各々との間の相対的な位置関係を特定するプロセッサと、
を備えることを特徴とする磁気計測装置。
【請求項７】
前記マーカーコイルは生体に装着して用いられることを特徴とする請求項６に記載の磁気計測装置。
【発明の詳細な説明】
【技術分野】
【０００１】
本発明は、マーカーコイル及び磁気計測装置に関する。
【背景技術】
【０００２】
生体磁気計測は、生体中の電気的な活動を非浸襲的に観測する方法である。生体内において、神経や筋肉等の活動に伴い、微弱な電流が流れる。この電流によって発生した磁場を、体外に設置された高感度の磁気センサを並べた磁気センサアレイによって検出し、得られた磁場の分布から生体内の電流の分布を推定する。
【０００３】
磁気センサアレイに対する被検者の相対的な位置と配向を正確に知ることは、生体内の電流の分布を特定するために極めて重要である。そのために、被検者にマーカーコイルと呼ばれるコイルを複数個装着し、マーカーコイルに電流を流して磁場を発生させ、磁場を磁気センサアレイによって検出し、磁場の分布からマーカーコイルの磁気センサアレイに対する相対位置を特定することによって、被検者と生体磁気計測装置との位置合わせを行う（非特許文献１参照）。一般的に、マーカーコイルとしては、直径１０ｍｍ程度の円盤型コイルが用いられている。複数のマーカーコイルのそれぞれは特定の周波数の電流によって磁場を発生する。磁気センサアレイはそれぞれのマーカーコイルから発生するそれぞれの磁場の分布を計測する。磁気センサアレイに対する複数のマーカーコイルの相対的な位置は、磁気源として磁気ダイポールを仮定することで3次元的に得られる。磁気センサアレイに対する生体内部の電流の相対的な分布は、マーカーコイルの磁気センサアレイに対する相対的な位置から求められる。
【０００４】
従来のマーカーコイルを使用して磁気センサアレイに対する被検者の相対的な位置と向きを得るためには、少なくとも３つのマーカーコイルを使用し、更に、それぞれのマーカーコイルから発生した磁場の分布を個別に計測する必要がある。少なくとも３つのマーカーコイルのそれぞれに同じ周波数の電流を流す場合、少なくとも３つのマーカーコイルのそれぞれに互いに異なるタイミングで電流を流す必要があり、通常計測に時間がかかる。そこで、複数のマーカーコイルのそれぞれに互いに異なる周波数の電流を流せば、複数のマーカーコイルからの磁場の分布は周波数分離によって同時に得られる（非特許文献２参照）。しかし、この場合、少なくとも３つのマーカーコイルと同数の発信機が必要となる。さらに、少なくとも３つのマーカーコイルを、体表上、例えば顔等に貼る場合、少なくとも３つのマーカーコイルのみならず複数のケーブルが体表上を這うことになり被検者にとって非常に煩わしく、被検者によっては少なくとも３つのマーカーコイルを顔に貼られることを望まないなど、計測が困難になる場合がある。
【先行技術文献】
【非特許文献】
【０００５】
【非特許文献１】S.N.Erne et al., ”The positioning problem in biomagnetic measurements: A solution for array of superconducting sensors", IEEE Trans Magn., Vol. MAG-23, no.2, pp.1319-1322, Mar. 1987.
【非特許文献２】D.Oyama et al., “Real-time coil position monitoring system for biomagnetic measurements", Physics Procedia, vol.36, pp.280-285, 2012.
【発明の概要】
【発明が解決しようとする課題】
【０００６】
このように、少なくとも３つのマーカーコイルを用いることにより、磁気センサアレイに対する被検者の相対的な位置と配向を精度よく知ることができる。しかしながら、従来のマーカーコイルでは少なくとも３つのマーカーコイルを使用する必要があり、測定に時間がかかるか、又は複数のマーカーコイルと同数の発信機が必要であり、さらに複数のマーカーコイル及びケーブルを体表に設置することが煩わしいために、設置が困難な場合があるなどの課題があった。
【０００７】
上記問題点を鑑み、本発明は、従来の円盤型のコイルを使用したマーカーコイルの特徴である、精度の高さを実現し、且つ計測手順の迅速化、及び計測装置の簡便化を実現したマーカーコイルを提供することを目的とする。
【課題を解決するための手段】
【０００８】
本発明の第１の態様に係るマーカーコイルは、複数の磁気センサにより、複数の磁気センサの各々との間の相対的な位置関係を特定するために用いられ、少なくとも３つの線分を備えた多角形状を呈する導線で構成され、多角形状は、点対称性、線対称性及び回転対称性のいずれも有しない非対称形状であることを要旨とする。
【０００９】
本発明の第２の態様に係る磁気計測装置は、磁場を検出可能な複数の磁気センサと、少なくとも３つの線分を備えた多角形状を呈する導線で構成され、多角形状は、点対称性、線対称性及び回転対称のいずれも有しない非対称形状である、マーカーコイルと、マーカーコイルに接続され、マーカーコイルに電流を流す発信機と、複数の磁気センサの各々によって、マーカーコイルに流した電流によって発生した磁場を検出することによって、マーカーコイルと複数の磁気センサの各々との間の相対的な位置関係を特定するプロセッサと、を備えることを要旨とする。
【発明の効果】
【００１０】
本発明によれば、従来の円盤型のコイルを使用したマーカーコイルの特徴である、精度の高さを実現し、且つ計測手順の迅速化、及び計測装置の簡便化を実現したマーカーコイルを提供できる。
【図面の簡単な説明】
【００１１】
【図１】本発明の実施形態に係る生体磁気計測装置の全体構成の一例を模式的に示す図である。
【図２】実施形態に係る生体磁気計測装置の主要部の一例を模式的に示す図である。
【図３】実施形態に係るマーカーコイルの構成例を示す図である。
【図４】磁気センサアレイに対する（ａ）実施形態に係るマーカーコイルと、（ｂ）従来技術に係るマーカーコイルのそれぞれの相対位置の特定方法を説明する模式図である。
【図５】実施形態に係るマーカーコイルから発生する磁場の算出方法を説明する模式図である。
【図６】実施形態に係るマーカーコイルを用いた実験を説明する上面図である。
【図７】図６に示すマーカーコイルを装着した頭部模型の正面図である。
【図８】図７に示す頭部模型による測定結果の脳磁図である。
【図９】図７に示す頭部模型による測定結果のマーカーコイルと磁気センサアレイの配置を示す図である。
【図１０】第１の参考例に係るコイルの問題点を説明する模式図である。
【図１１】（ａ）第１の変形例に係るマーカーコイルと、（ｂ）第２の変形例に係るマーカーコイルと、（ｃ）第２の参考例に係るコイルのそれぞれの構成例を示す図である。
【発明を実施するための形態】
【００１２】
次に、図面を参照して、本発明の実施形態を説明する。実施形態に係る図面の記載において、同一又は類似の部分には同一又は類似の符号を付している。但し、図面は模式的なものであり、厚みと平面寸法との関係、各部材の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。
【００１３】
又、実施形態は、本発明の技術的思想を具体化するための装置や方法を例示するものであって、本発明の技術的思想は、回路素子や回路ブロックの構成や配置、レイアウト等を下記のものに特定するものでない。本発明の技術的思想は、特許請求の範囲に記載された請求項が規定する技術的範囲内において、種々の変更を加えることができる。
【００１４】
（実施形態）
本発明の実施形態に係るマーカーコイル４０と、実施形態に係るマーカーコイル４０を使用した生体磁気計測装置１の構成の一例を図１に示す。実施形態に係るマーカーコイル４０を使用した生体磁気計測装置１は、磁気シールドルーム１０、クライオスタット３０、マーカーコイル４０、撚り対線５０、コイル電流駆動回路６０、磁気センサ駆動回路１４、データ収録解析装置１６、図示されていないが、極低温冷凍機、トランスファチューブとから構成される。クライオスタット３０には磁気センサアレイ３２が収容される。磁気センサアレイ３２は磁気センサ駆動回路１４に接続されている。マーカーコイル４０は撚り対線５０を介してコイル電流駆動回路６０に接続されている。
【００１５】
クライオスタット３０は磁気シールドルーム１０の内部に設置されている。磁気センサアレイ３２はヘルメットの形状をなしており、内部に被検者の頭部７０を収容し、全頭脳磁計としての運用が可能である。磁気シールドルーム１０の内部において、マーカーコイル４０は被検者の頭部７０に装着されており、被検者の頭部７０及びマーカーコイル４０は磁気センサアレイ３２に収容されている。磁気センサ駆動回路１４、データ収録解析装置１６及び図示されていない極低温冷凍機は磁気シールドルーム１０の外部に設置されている。コイル電流駆動回路６０は、図１に示すように、磁気シールドルーム１０の外部に設置してもよく、また磁気シールドルームの内部に設置してもよい。図示されていないトランスファチューブは磁気シールドルーム１０を貫通し、図示されていない極低温冷凍機とクライオスタット３０とに接続されている。図示されていないが、極低温冷凍機は、例えば既知の４Ｋパルスチューブ冷凍機を用いて実現できる。
【００１６】
データ収録解析装置１６は、生体磁気計測装置１における計測機能を統括的に制御する。データ収録解析装置１６はまた、生体磁気計測装置１が計測した生体磁気データを解析する。データ収録解析装置１６は、例えばＰＣ（Ｐｅｒｓｏｎａｌ  Ｃｏｍｐｕｔｅｒ）やワークステーション等の計算機を用いて実現できる。磁気センサ駆動回路１４は、データ収録解析装置１６の制御の下、磁気センサアレイ３２の動作を制御する。更に、コイル電流駆動回路６０は、データ収録解析装置１６の制御の下、マーカーコイル４０に流す電流を制御する。図示されていないが、磁気センサ駆動回路１４にはアンプ／アナログフィルタ部が接続されており、磁気センサアレイ３２が計測した生体磁気データの増幅や、ノイズの除去を行う。図示されていないが、アンプ／アナログフィルタ部及びデータ収録解析装置１６にはデータ取得部が接続されており、アンプ／アナログフィルタ部が処理したデータをデジタルデータに変換する。データ取得部は、例えば既知のＡ／Ｄ変換器を用いて実現できる。データ取得部が取得したデータはデータ収録解析装置１６に送られ、種々の解析が実行される。
【００１７】
磁気センサアレイ３２は、例えば既知のＳＱＵＩＤ（Ｓｕｐｅｒｃｏｎｄｕｃｔｉｎｇ  ＱＵａｎｔｕｍ  Ｉｎｔｅｒｆｅｒｅｎｃｅ  Ｄｅｖｉｃｅ）を用いて実現できる。ＳＱＵＩＤセンサは超電導を利用した磁気センサであるため、センサとして機能するためには極低温（例えば４Ｋ）まで冷却される必要がある。このため、磁気センサアレイ３２は液体ヘリウムを貯留するクライオスタット３０に収容されている。そして、磁気センサアレイ３２はクライオスタット３０が貯留する液体ヘリウムによって冷却される。
【００１８】
図１に示した、実施形態に係るマーカーコイルと、実施形態に係るマーカーコイルを使用した生体磁気計測装置の構成の主要部を図２に示す。クライオスタット３０に収容されている磁気センサアレイ３２は、磁気センサ３２０ｉ（ｉ＝１〜ｍ：ｍは６以上の正の整数）を含む。磁気センサ３２０ｉは、クライオスタット３０の内部に、ヘルメット形状の、頭部が収容される窪みの表面に沿って配置されている。磁気センサ３２０ｉの各々は、磁場を検出可能である。磁気センサ３２０ｉが検出可能である磁場は、生体から発生する磁場及びマーカーコイル４０から発生する磁場を含む。磁気センサ３２０ｉは、例えば、超電導材料が好適に用いられる。超電導材料としては、例えば、Ｎｂ（ニオブ）を用いることができるが、Ｎｂに限定されず、どのような超電導材料であってもよい。
【００１９】
実施形態に係るマーカーコイル４０を図３に示す。マーカーコイル４０は、撚り対線５０を介してコイル電流駆動回路６０に接続されている。マーカーコイル４０に接続する導線を撚り対線にすることによって、撚り対線５０から発生される漏れ磁場の発生を抑制することができる。図３には、図１に示す磁気シールドルーム１０は図示されていないが、図１に示すように、コイル電流駆動回路６０は磁気シールドルーム１０の外部に設置してもよい。マーカーコイル４０は１巻きであってもよく、マーカーコイル４０から発生する磁場を強くするために複数回巻いてもよい。マーカーコイル４０の形状は、線分４１、４２及び４３とから構成され、三角形の形状である。線分４１、４２及び４３の長さは互いに異なっており、マーカーコイル４０は、点対称性及び線対称性のいずれも有しない三角形の形状である。
【００２０】
磁気センサアレイに対する被検者の相対的な位置及び向きの特定方法を図４を参照して説明する。図４（ａ）に実施形態に係るマーカーコイルを、図４（ｂ）に従来技術に係るマーカーコイルを示す。図４（ａ）及び（ｂ）に記載のマーカーコイルはいずれも、被検者の体表上に装着されるものとする。図４（ｂ）に示す３つのマーカーコイルＭ１、Ｍ２及びＭ３は、それぞれ、図４（ａ）に示す三角形のマーカーコイルの頂点ＡＢＣと同じ位置に装着されるものとする。図４（ａ）において、頂点ＡＢＣを有する三角形状のコイルに電流Ｉを流し、磁場を発生させる。図４（ａ）に示す点Ｒは、頂点ＡＢＣを有する三角形の面上に位置していると同時に、被検者の体表上にも位置しているものとする。図４（ａ）及び（ｂ）において、点Ｒの座標を（ｘ，ｙ，ｚ）、極座標系の極角と方位角をそれぞれθ、φとして、頂点ＡＢＣを有する三角形の面に対する法線方向を（θ,φ）とする。図４（ａ）において、被検者の磁気センサアレイに対する相対的な位置及び向きを特定するには、点Ｒの磁気センサアレイに対する相対的な座標（ｘ，ｙ，ｚ）、頂点ＡＢＣを有する三角形の面に対する法線方向（θ,φ）及び頂点ＡＢＣを有する三角形の面に対して法線方向の軸周りの回転角を特定すればよい。そのためには三角形の頂点ＡＢＣの磁気センサアレイに対する相対的な位置を特定すればよい。図４（ｂ）において、同様に被検者の磁気センサアレイに対する相対的な位置及び向きを特定するには、マーカーコイルＭ１、Ｍ２及びＭ３の磁気センサアレイに対する相対的な位置を特定する必要がある。即ち、従来技術に係るマーカーコイルを用いた場合、マーカーコイルは少なくとも３つ必要となる。
【００２１】
三角形状のマーカーコイルから発生する磁場の計算方法を図５を参照して説明する。図５において、三角形のコイルの線分ＡＢを流れる線分電流が点Ｐに作る磁場Ｂは式（１）によって得られる。
Ｂ＝μＩ（ｃｏｓθＡＢ＋ｃｏｓθＢＡ）／４πｄ    …（１）
ここで、μは透磁率、Ｉはコイルに流した電流、θＡＢ及びθＢＡは、それぞれ、線分ＡＢと線分ＡＰとがなす角度、及び線分ＢＡ及び線分ＢＰとがなす角度、ｄは点Ｐから線分ＡＢまでの距離であり、線分ＰＱの長さである。三角形状のマーカーコイルが点Ｐに作る磁場は、線分ＡＢ、線分ＢＣ及び線分ＣＡをそれぞれ流れる線分電流が点Ｐに作る磁場の和を求めればよい。三角形状のマーカーコイルが点Ｐに作る磁場を、三角形状のマーカーコイルが磁気センサアレイの各磁気センサの位置に作る磁場に適用し、各磁気センサが検出した磁場から、磁気センサアレイに対する三角形状のマーカーコイルの相対位置を逆算する。
【００２２】
実施形態に係るマーカーコイルに電流を流して磁場を発生させ、磁気センサアレイが磁場を検出したのち、式（１）を用いて、磁気センサアレイに対する図５に示す三角形の各頂点の相対的な位置を特定する。マーカーコイルは被検者の体表上に装着されているため、磁気センサアレイと被検者との間の相対的な位置と向きも特定される。このことから、マーカーコイルの形状は、少なくとも３つの線分から構成される多角形状であれば、マーカーコイルから発生する磁場を式（１）から計算することができ、マーカーコイルの磁気センサアレイに対する相対的な位置と向きを特定することができる。ここで、マーカーコイルの形状は、点対称性、線対称性及び回転対称性のいずれも有しないことが重要である。マーカーコイルの形状が点対称性、線対称性及び回転対称性のうちの少なくとも１つを有する場合、マーカーコイルから発生する磁場の分布もマーカーコイルが有するのと同じ対称性を有することになり、その結果、マーカーコイルが有する点対称性、線対称性及び回転対称性のうちの少なくとも１つにおいて、磁気センサアレイに対する相対的な位置と向きを特定することができなくなる。例えば、図４（ａ）に示す三角形が点対称性、線対称性及び回転対称性のうちの少なくとも１つを有する場合、頂点ＡＢＣを有する三角形の面に対して法線方向の軸周りの回転角を特定することができない。
【００２３】
実施形態に係るマーカーコイルの形状は３つの線分からなる三角形状であるが、マーカーコイルから発生する磁場の分布が既知であり、点対称性、線対称性及び回転対称性のいずれも有しないのであれば、マーカーコイルの形状は線分のみから構成される多角形でなくてもかまわない。即ち、マーカーコイルの一部若しくはすべてが曲線形状であっても構わない。しかしながら、例えば、マーカーコイルが曲線形状であった場合、マーカーコイルから発生する磁場を式（１）から計算することができず、より複雑な計算を行うため、計算量が大きくなり、時間がかかることになる。また、実施形態に係るマーカーコイルの形状は三角形であるので平面的であるが、少なくとも４つの線分からなる多角形であって、立体的な形状であっても構わない。マーカーコイルが立体的な形状である場合、点対称性、線対称性及び回転対称性のいずれも有しないことが必要であるが、面対称性は有していても構わない。実在するマーカーコイルを鏡映反転させることはできないからである。
【００２４】
測定対象が生体であり、磁気センサアレイが生体から発生した磁場を検出する場合、検出した磁場の分布から、生体内の電気的な活動の分布を知ることができる。ここで、磁気センサアレイは、マーカーコイルから発生した磁場と、生体から発生した磁場のいずれも検出することから、これらを互いに分離しなければならない。これらを互いに分離するためには、マーカーコイルから発生した磁場と、生体から発生した磁場を同時計測しない場合であれば、マーカーコイルに電流を流した場合と流さない場合の磁場をそれぞれ計測する必要がある。マーカーコイルから発生した磁場と、生体から発生した磁場を同時計測する場合であれば、マーカーコイルに流す電流の周波数を、生体内の電気的な流れの周波数帯とは異なる周波数とし、周波数分離する必要がある。従来のマーカーコイルを用いた場合、少なくとも３つのマーカーコイルを使用する必要があり、マーカーコイルから発生した磁場と、生体から発生した磁場を同時計測しない場合、少なくとも３つのマーカーコイルのそれぞれに時間をずらして個別に電流を流し磁場を検出しなければならず、通常計測に非常に時間がかかる。マーカーコイルに流す電流の周波数を、生体内の電気的な流れの周波数帯とは異なる周波数にすれば、マーカーコイルから発生する磁場と生体から発生する磁場を同時に計測できるが、従来のマーカーコイルを使用する場合、少なくとも３つのマーカーコイルのそれぞれに互いに周波数の異なる電流を流す必要があり、マーカーコイルの数と同数の発信機を用意しなければならない。実施形態に係るマーカーコイルを使用するのであれば、マーカーコイルから発生した磁場と、生体から発生した磁場を同時計測しない場合であっても、使用するマーカーコイルは１つであるから、従来のマーカーコイルを使用した場合と比較して短時間で計測が可能である。また、マーカーコイルから発生した磁場と生体から発生した磁場を同時に計測する場合であっても、マーカーコイルに電流を流す発信機は１つ用意すればよく、計測装置を簡素化することができる。また、従来のマーカーコイルでは、複数のマーカーコイルのそれぞれと発信機とを接続するケーブルが、例えば脳磁計では顔周辺に複数存在することになり、被検者によってはこれを嫌がり、計測が困難となる場合がある。実施形態に係るマーカーコイルによれば、マーカーコイルとケーブルはそれぞれ１つのみであり、顔周辺に複数のマーカーコイルとケーブルが存在するわずらわしさは減少し、顔周辺にマーカーコイルを装着する時間も短縮できる。
【００２５】
従来のマーカーコイルを使用してマーカーコイルと磁気センサアレイとの相対的な位置関係を特定する場合、少なくとも３つのマーカーコイルを装着する際の互いの間隔が大きいほど、位置の精度は高くなる。これと同様に、実施形態に係るマーカーコイルも、三角形の三辺のそれぞれの長さが大きいほど、位置の精度は高くなる。一方、実施形態に係るマーカーコイルの三角形の三辺のそれぞれの長さが小さくなると、マーカーコイルに流す電流が変わらなければマーカーコイルから発生する磁場は小さくなる。磁気センサアレイが検出できる磁場の下限値、実施形態に係るマーカーコイルに流すことができる電流の上限値等により、実施形態に係るマーカーコイルの大きさの下限値は決定する。
【００２６】
図６に、実施形態に係るマーカーコイルの試作品８０を示す。プリント基板８１上に、実施形態に係るマーカーコイル９０を配置している。マーカーコイル９０は線分９１、線分９２及び線分９３から構成される直角三角形を呈している。線分９１、線分９２及び線分９３の長さａ、ｂ及びｃはそれぞれ４０ｍｍ、３０ｍｍ及び５０ｍｍである。用いた導線は、線幅が０．１ｍｍであり、厚さ０．１５ｍｍのプリント基板８１の両面に、線の間隔０．１ｍｍで合計１０巻きのコイルとなるように配置されている。マーカーコイル９０の厚さは、線分９１、９２及び９３と比較して十分小さく、マーカーコイル９０は撚り対線５１を介して図示されていないコイル電流駆動回路に接続されている。
【００２７】
比較のために、試作品８０上に、従来のマーカーコイルも設置している。マーカーコイル９０を内包するように、三角形状のマーカーコイル９０と相似の形状の三角形の頂点に従来のマーカーコイル８２ａ、８２ｂ及び８２ｃを配置している。マーカーコイル８２ａ、８２ｂ及び８２ｃのそれぞれの間の距離ｌ、ｍ及びｎはそれぞれ６０ｍｍ、４５ｍｍ及び７５ｍｍである。マーカーコイル８２ａ、８２ｂ及び８２ｃは撚り対線８３ａ、８３ｂ及び８３ｃを介して図示されていないコイル電流駆動回路に接続されている。
【００２８】
試作品８０は、図７に示すように、発泡スチロール製の頭部模型１００の額部分に装着されている。試作品８０を装着された頭部模型１００を、ヘルメット形状にＳＱＵＩＤセンサアレイが配置された全頭型脳磁計の内部に配置したのち、磁場測定を行った。それぞれのマーカーコイル９０、８２ａ、８２ｂ及び８２ｃには、振幅０．１ｍＡ、周波数８０Ｈｚ、期間３００ｍｓの正弦波バースト電流が時間をずらして個別に流された。それぞれのマーカーコイル９０、８２ａ、８２ｂ及び８２ｃからの磁場はヘルメット形状のＳＱＵＩＤセンサアレイによって得られた。マーカーコイル９０にのみ電流を流したときのＳＱＵＩＤセンサアレイによって得られた磁場の分布を図８に示す。図８は頭部模型１００を上から見たときの磁場の分布を表す脳磁図であり、図８の紙面上側が試作品８０を装着した頭部模型１００の正面、紙面下側が頭部模型１００の後頭部である。図８の頭部上の複数の点はＳＱＵＩＤセンサの位置を示している。図８の頭部模型１００の額付近に示されている曲線は磁場の分布を表しており、マーカーコイル９０から発生している磁場が観測されたことを示している。
【００２９】
マーカーコイル９０、８２ａ、８２ｂ及び８２ｃのそれぞれに電流を流し、発生した磁場をＳＱＵＩＤセンサアレイによって観測し、得られた磁場の分布から特定されたマーカーコイル９０、８２ａ、８２ｂ及び８２ｃそれぞれのＳＱＵＩＤセンサアレイに対する相対的な位置を図９に示す。図９（ａ）は頭部模型１００を上から見た図、図９（ｂ）は頭部模型１００を横から見た図、図９（ｃ）は頭部模型１００を正面から見た図であり、ｘ軸の正方向は頭部模型１００の正面側、ｙ軸の正方向は左側、ｚ軸の正方向は頭頂部側である。図９において、＋はＳＱＵＩＤセンサ、３つの点は従来のマーカーコイル８２ａ、８２ｂ及び８２ｃ、実線で示された三角形は実施形態に係るマーカーコイル９０の位置を示しており、頭部模型１００の額付近に従来のマーカーコイル８２ａ、８２ｂ及び８２ｃに囲まれた実施形態に係るマーカーコイル９０が特定されている。
【００３０】
実施形態に係るマーカーコイルを用いた生体磁気計測装置は、複数の発信器を必要とせずに、マーカーコイルから発生した磁場と、生体から発生した磁場を同時計測することが可能であることから、例えば、磁場の計測と同時にマーカーコイルや測定対象を表示するといったリアルタイム処理や、磁気センサをベルト等で固定して計測を行うなどのウエアラブル生体磁気測定に応用できる。また、脳磁計では、被験者の頭部と磁気センサアレイとの相対的な位置関係を明確にするためにマーカーコイルを用いており、実際には頭部の磁場を測定している。これに対して、マーカーコイルそのものの位置を上記手法で説明したように検出してもよい。例えば、手術ナビゲーションシステムは、手術中に自分の持っている手術器具が実際の患者の体のどこにあるのかをリアルタイムで知らせるシステムであり、近年、手術器具と患者の体の位置関係を特定するのに磁気センサが使用され始めている。生体磁気計測装置においては被検者の体表に装着されたマーカーコイルを、手術ナビゲーションシステムにおいては手術器具に装着する。実施形態に係るマーカーコイルを、生体磁気計測だけでなく、手術ナビゲーションシステムに応用することによって、従来複数必要であったマーカーコイルを１つで済ませる、例えば手術器具に取り付けやすいような立体形状にする、等が可能になる。
【００３１】
[第１の参考例]
図１０に、第１の参考例に係るコイルを示す。図１０に示すコイルの形状は、線分Ａ’Ｃ’と線分Ｂ’Ｃ’の長さが互いに等しい２等辺三角形である。この場合、線分ＲＣ’を回転軸とし、この回転軸周りの回転方向に第１の参考例に係るコイルの磁気センサアレイに対する位置及び向きを特定することができない。従って、第１の参考例に係るコイルをマーカーコイルとして使用することはできない。
【００３２】
（第１の変形例）
図１１（ａ）に、第１の変形例に係るコイルを示す。第１の変形例に係るマーカーコイルは、４つの線分からなる立体形状である。互いに直交するｘ軸、ｙ軸及びｚ軸上の４つの点（０，０，０）、（４，０，０）、（０，３，０）及び（０，０，２）に頂点を有し、点対称性、線対称性及び回転対称性のいずれも有しない。この場合、第１の変形例に係るコイルの磁気センサアレイに対する相対的な位置及び向きを特定することができるため、第１の変形例に係るコイルをマーカーコイルとして使用することができる。
【００３３】
（第２の変形例）
図１１（ｂ）に、第２の変形例に係るコイルを示す。第２の変形例に係るマーカーコイルは、第１の変形例と同様、４つの線分からなる立体形状である。互いに直交するｘ軸、ｙ軸及びｚ軸上の４つの点（０，０，０）、（４，０，０）、（０，３，０）及び（０，０，３）に頂点を有し、点対称性、線対称性及び回転対称性のいずれも有しないが、面対称性を有する。この場合であっても、第２の変形例に係るコイルの磁気センサアレイに対する相対的な位置及び向きを特定することができるため、第２の変形例に係るコイルをマーカーコイルとして使用することができる。
【００３４】
[第２の参考例]
図１１（ｃ）に、第２の参考例に係るコイルを示す。第２の参考例に係るマーカーコイルは、８つの線分からなる立体形状である。立方体形状を呈しており、回転対称性を有し、この回転対称性の回転軸周りの回転方向に第２の参考例に係るコイルの磁気センサアレイに対する位置及び向きを特定することができない。従って、第２の参考例に係るコイルをマーカーコイルとして使用することはできない。
【００３５】
以上、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００３６】
１  生体磁気計測装置
１０  磁気シールドルーム
１４  磁気センサ駆動回路
１６  データ収録解析装置
３０  クライオスタット
３２  磁気センサアレイ
４０、９０  マーカーコイル
４１、４２、４３、９１、９２、９３  線分
５０、５１、８３ａ、８３ｂ、８３ｃ  撚り対線
６０  コイル電流駆動回路
７０  頭部
８０  試作品
８１  プリント基板
８２ａ、８２ｂ、８２ｃ  従来のマーカーコイル
１００  頭部模型
３２０ｉ  磁気センサ
【図１】
2020198925.tif 000003
【図２】
2020198925.tif 000004
【図３】
2020198925.tif 000005
【図４】
2020198925.tif 000006
【図５】
2020198925.tif 000007
【図６】
2020198925.tif 000008
【図７】
2020198925.tif 000009
【図８】
2020198925.tif 000010
【図９】
2020198925.tif 000011
【図１０】
2020198925.tif 000012
【図１１】
2020198925.tif 000013